(57)【要約】【課題】筐体の内外気圧差や温度変化、水圧などにより外からシール材に力が加わっても、防水性を向上できる電子制御装置を提供することを課題とする。【解決手段】電子制御装置１０は、回路基板を収容するケース３０と、このケース３０の開口を覆うカバー４０と、を備えている。ケース３０は、ケース側フランジ部３１を備え、カバー４０は、ケース側フランジ部３１に対応するカバー側フランジ部４１を備えている。ケース側フランジ部３１とカバー側フランジ部４１との間にシール材５１が介在されている。ケース側フランジ部３１の第１シール面３３とカバー側フランジ部４１の第２シール面４３とが局部的に近接するように、第１シール面３３及び第２シール面４３は、傾斜面とされている。【選択図】図２
2018107229.tif 000002
【特許請求の範囲】
【請求項１】
回路基板を収容するケースと、このケースの開口を覆うカバーと、を備えている電子制御装置において、
前記ケースは、ケース側フランジ部を備え、
前記カバーは、前記ケース側フランジ部に対応するカバー側フランジ部を備え、
前記ケース側フランジ部と前記カバー側フランジ部との間にシール材が介在され、
前記ケース側フランジ部の第１シール面と前記カバー側フランジ部の第２シール面とが局部的に近接するように、前記第１シール面及び前記第２シール面は、傾斜面とされていることを特徴とする電子制御装置。
【発明の詳細な説明】
【技術分野】
【０００１】
本発明は、防水構造を備える電子制御装置に関する。
【背景技術】
【０００２】
乗用車や自動二輪車に代表される車両には、ＥＣＵ（engine control unit）等の回路基板を備える電子制御装置が搭載されている。このような回路基板をケースに収容した電子制御装置の防水構造が知られている（例えば、特許文献１（図３）参照。）。
【０００３】
特許文献１の図３に示すように、電子制御装置（２）（括弧付き数字は特許文献１に記載されている符号を示す。以下同じ。）は、回路基板をケース（１０）及びアッパーカバー（３）からなる筐体に収容し、防水のために液状パッキンなどのシール材（３５）で筐体をシールしている。
【０００４】
詳細には、ケース（１０）はケースフランジ（１４）を備え、アッパーカバー（３）はカバーフランジ（４）を備え、ケースフランジ（１４）とカバーフランジ（４）との間にシール材（３５）が介在し、ボルトによってケースフランジ（１４）にカバーフランジ（４）が締結されることで、筐体がシールされている。
【０００５】
しかし、シール材（３５）を塗布するケースフランジ（１４）のシール面とカバーフランジ（４）のシール面が平行な形状となっているため、筐体の内外気圧差や温度変化、水圧などにより外からシール材（３５）に力が加わると、シール材（３５）が筐体の内方に移動して防水性に影響を与えるおそれがある。そのため、筐体の内外気圧差や温度変化、水圧などにより外からシール材に力が加わっても、防水性を向上できる電子制御装置が求められる。
【先行技術文献】
【特許文献】
【０００６】
【特許文献１】特開２０１３−１６１９９５号公報
【発明の概要】
【発明が解決しようとする課題】
【０００７】
本発明は、筐体の内外気圧差や温度変化、水圧などにより外からシール材に力が加わっても、防水性を向上できる電子制御装置を提供することを課題とする。
【課題を解決するための手段】
【０００８】
請求項１に係る発明では、回路基板を収容するケースと、このケースの開口を覆うカバーと、を備えている電子制御装置において、前記ケースは、ケース側フランジ部を備え、前記カバーは、前記ケース側フランジ部に対応するカバー側フランジ部を備え、前記ケース側フランジ部と前記カバー側フランジ部との間にシール材が介在され、前記ケース側フランジ部の第１シール面と前記カバー側フランジ部の第２シール面とが局部的に近接するように、前記第１シール面及び前記第２シール面は、傾斜面とされていることを特徴とする。
【発明の効果】
【０００９】
請求項１に係る発明では、ケースは、ケース側フランジ部を備え、カバーは、ケース側フランジ部に対応するカバー側フランジ部を備え、ケース側フランジ部と前記カバー側フランジ部との間にシール材が介在されている。
【００１０】
ケース側フランジ部の第１シール面とカバー側フランジ部の第２シール面とが局部的に近接するように、第１シール面及び第２シール面は外側に開くテーパ状の傾斜面とされているので、筐体外部からシール材に力が加わるとシール材が傾斜面（シール面）に押し付けられて圧縮の力が作用し、第１シール面及び第２シール面との密着度が高まることにより防水性を高めることができる。結果、筐体の内外気圧差や温度変化、水圧などにより外からシール材に力が加わっても、防水性を維持できる電子制御装置を提供することができる。
【００１１】
さらに、防水性を向上させる構造が簡単なため、電子制御装置の部品コストを低減することができる。
【図面の簡単な説明】
【００１２】
【図１】本発明の実施例における電子制御装置の分解斜視図である。
【図２】電子制御装置の防水構造を説明する図であり、（ａ）は実施例を説明する電子制御装置の要部断面図、（ｂ）は第１変形例を説明する電子制御装置の要部断面図、（ｃ）は第２変形例を説明する電子制御装置の要部断面図である。
【発明を実施するための形態】
【００１３】
本発明の実施の形態を添付図に基づいて以下に説明する。
【実施例】
【００１４】
先ず、本発明の実施例を図面に基づいて説明する。
図１に示すように、電子制御装置１０は、電子部品を実装した回路基板２０と、この回路基板２０を収容保持するケース３０と、このケース３０の開口を覆うカバー４０と、を備えている。ケース３０及びカバー４０は、アルミダイキャストで成型されている。
【００１５】
ケース３０は、ケース側フランジ部３１を備え、このケース側フランジ部３１には、締結部材５０を留めるナット部３２が設けられている。カバー４０は、ケース側フランジ部３１に対応するカバー側フランジ部４１を備え、このカバー側フランジ部４１には、締結部材５０を通す貫通穴４２が形成されている。なお、実施例では、ナット部３２をケース側フランジ部３１に一体的に設けたが、これに限定されず、ナット部３２をケース側フランジ部３１と別体としても差し支えない。
【００１６】
ケース側フランジ部３１に、シール材５１を塗布し、その上にカバー側フランジ部４１を載せ、締結部材５０を貫通穴４２に通してナット部３２に締結することで、ケース側フランジ部３１とカバー側フランジ部４１との間がシールされ、結果、ケース３０とカバー４０とからなる筐体の内部が防水される。
【００１７】
図２（ａ）に示すように、電子制御装置１０は、回路基板２０（図１参照）を収容したケース３０の開口をカバー４０で覆っている。ケース３０は箱状を呈し、開口端側から筐体外方に延びるようにケース側フランジ部３１が形成されている。カバー４０は、箱状を呈し、開口端側から筐体外方に延びるようにカバー側フランジ部４１が形成されている。
【００１８】
ケース側フランジ部３１とカバー側フランジ部４１との間に液状パッキン（シール材）５１が介在している。ケース側フランジ部３１の第１シール面３３とカバー側フランジ部４１の第２シール面４３とが、局部的に近接するように、第１シール面３３及び第２シール面４３は、筐体外方に向かって広がるテーパ状の傾斜面３３、４３とされている。
【００１９】
なお、実施例では、シール材５１を液状パッキン５１としたが、これに限定されず、シール材５１をシートパッキン５１としてもよい。シール材５１が液状パッキン５１の場合は、第１シール面３３と第２シール面４３とが局部的に近接する。シール材５１がシートパッキン５１の場合は、シートパッキン５１が柔軟ではあるもののある程度の硬さを有するので第１シール面３３と第２シール面４３との間に隙間が生じる。
【００２０】
ケース３０とカバー４０の合わせ面３４を水平に配置した際、第１シール面３３及び第２シール面４３は、対面した際に水平状態とはならないテーパ状の傾斜面３３、４３とされる。第１シール面３３に対する第２シール面４３は傾斜角が設定される。
【００２１】
傾斜角を設定することでシール材５１が筐体外方から筐体内方に力を受けた際、シール材５１を第１シール面３３及び第２シール面４３に押し付けて十分に密着させることができる。結果、防水性が高まる。また、シール材５１を筐体外側に外れ難くすることができる。
【００２２】
さらに、防水性を向上させるケース３０及びカバー４０の構造が簡単なため、電子制御装置１０の部品コストを低減することができる。
【００２３】
図２（ｂ）に示すように、第１変形例では、第１シール面３３は、略中心から外側に開く平面状の外側傾斜面３３ａと、略中心から内側に開く平面状の内側傾斜面３３ｂとから構成される。第２シール面４３は、略中心から外側に開く平面状の外側傾斜面４３ａと、略中心から内側に開く平面状の内側傾斜面４３ｂとから構成される。
【００２４】
外側傾斜面３３ａ、４３ａを有することで、シール材５１が筐体外側から筐体内側に力を受けた際に、シール材５１が外側傾斜面３３ａ、４３ａに押し付けられ密着することでシール性を高めることができる。結果、防水性が高まる。
【００２５】
内側傾斜面３３ｂ、４３ｂを有することで、シール材５１が筐体内側から筐体外側に力を受けた際に、シール材５１が内側傾斜面３３ｂ、４３ｂに押し付けられ密着することでシール性を高めることができる。結果、防水性が高まる。
【００２６】
図２（ｃ）に示すように、第２変形例では、第１シール面３３は、アーチ形状を呈し、略中心から外側に開く曲面状の外側傾斜面３３ｃと、略中心から内側に開く曲面状の内側傾斜面３３ｄとから構成される。第２シール面４３は、アーチ形状を呈し、略中心から外側に開く曲面状の外側傾斜面４３ｃと、略中心から内側に開く曲面状の内側傾斜面４３ｄとから構成される。
【００２７】
外側傾斜面３３ｃ、４３ｃを有することで、シール材５１が筐体外側から筐体内側に力を受けた際に、シール材５１が外側傾斜面３３ｃ、４３ｃに押し付けられ密着することでシール性を高めることができる。結果、防水性が高まる。
【００２８】
内側傾斜面３３ｄ、４３ｄを有することで、シール材５１が筐体内側から筐体外側に力を受けた際に、シール材５１が内側傾斜面３３ｄ、４３ｄに押し付けられ密着することでシール性を高めることができる。結果、防水性が高まる。
【００２９】
尚、本発明は上記実施形態に限定されるものではなく、その要旨を逸脱しない範囲で種々の設計変更が可能である。また、実施例では、ケース３０及びカバー４０を鋳造品としたが、これに限定されず、プレス成形品や、一方を樹脂成形品としても差し支えない。
【産業上の利用可能性】
【００３０】
本発明は、ケースとカバーとからなる筐体に回路基板を収容する電子制御装置に好適である。
【符号の説明】
【００３１】
１０...電子制御装置、２０...回路基板、３０...ケース、３１...ケース側フランジ部、３３...第１シール面（傾斜面）、４０...カバー、４１...カバー側フランジ部、４３...第２シール面（傾斜面）、５１...シール材。
【図１】
2018107229.tif 000003
【図２】
2018107229.tif 000004